(57)【特許請求の範囲】
【請求項１】
天井に埋め込まれ送風機及び熱交換器を備える室内ユニット本体と、この室内ユニット本体の下面を覆う化粧パネルで構成される天井埋込形空気調和機において、前記化粧パネルに設けた吹出口から吹き出される冷気の風向を変更するルーバを駆動する駆動用モータが取付けられ、かつ、冷気から前記駆動用モータを保護する保護部材を備え、この保護部材は、前記駆動用モータを収納するモータ収容凸部と、このモータ収容凸部と連通する軸用凸部と、この軸用凸部を挟むようにして、前記吹出口の周辺に配置される断熱部材との接触面に前記断熱部材を圧縮するリブが設けられることを特徴とする天井埋込形空気調和機。
【請求項２】
前記室内ユニットに設け前記熱交換器で生成されるドレン受けるドレンパンには、前記モータ収容凸部が嵌まる凹部を設けることを特徴とする請求項１に記載の天井埋込形空気調和機。
【発明の詳細な説明】
【技術分野】
【０００１】
本発明は天井埋込形空気調和機に係り、特にルーバ駆動手段への冷気の進入を防止するためにシール構造を改良した天井埋込形空気調和機に関する。
【背景技術】
【０００２】
一般に天井埋込形空気調和機は、中央部に吸込口が設けられ、この吸込口を囲うように複数の吹出口が設けられている。
【０００３】
この吹出口には風向を室内の上下方向に変更させるルーバがそれぞれ設けられ、このルーバを駆動させるモータの駆動装置が化粧パネルの裏側に配置され、モータがモータケースに収容されている（例えば、特許文献１参照）。
【０００４】
通常、冷房運転時、熱交換器で冷却された空気を吹出ロから吹出すが、特許文献１に記載の天井埋込形空気調和機では、ルーバ駆動装置は吹出口の近傍に配置されるため、モータケースに冷風が侵入し、モータに結露するという不具合がある。
【特許文献１】特開２００２−１１５８９７号公報
【発明の開示】
【発明が解決しようとする課題】
【０００５】
本発明は上述した事情を考慮してなされたもので、吹出口のルーバを駆動するモータへの冷気進入を阻止し、このモータへの結露を防止できる天井埋込形空気調和機を提供することを目的とする。
【課題を解決するための手段】
【０００６】
上述した目的を達成するため、本発明に係る天井埋込形空気調和機は、天井に埋め込まれ送風機及び熱交換器を備える室内ユニット本体と、この室内ユニット本体の下面を覆う化粧パネルで構成される天井埋込形空気調和機において、前記化粧パネルに設けた吹出口から吹き出される冷気の風向を変更するルーバを駆動する駆動用モータが取付けられ、かつ、冷気から前記駆動用モータを保護する保護部材を備え、この保護部材は、前記駆動用モータを収納するモータ収容凸部と、このモータ収容凸部と連通する軸用凸部と、この軸用凸部を挟むようにして、前記吹出口の周辺に配置される断熱部材との接触面に前記断熱部材を圧縮するリブが設けられることを特徴とする。
【発明の効果】
【０００７】
本発明に係る天井埋込形空気調和機によれば、ルーバ駆動手段への冷気進入を阻止し、ルーバ駆動手段の結露を防止できる天井埋込形空気調和機を提供することができる。
【発明を実施するための最良の形態】
【０００８】
本発明の一実施形態に係る天井埋込形空気調和機について図面を参照して説明する。
【０００９】
図１は本発明の一実施形態に係る天井埋込形空気調和機の斜視図であり、本天井埋込形空気調和機の化粧パネルを除去して示す空気調和機本体の斜視図であり、図３は本天井埋込形空気調和機に用いる化粧パネルを裏面から見た平面図である。
【００１０】
図１ないし図３に示すように、本発明の一実施形態に係る天井埋込形空気調和機１は、天井に埋め込まれる空気調和機本体２と、この空気調和機本体２の下面を覆う化粧パネル３で構成される。
【００１１】
空気調和機本体２は筐体４を備え、この筐体４には室内熱交換器（図示せず）、室内送風機５などを収容する。
【００１２】
筐体４は同様の４組の吊り下げ手段６によって天井基材（図示せず）に吊り下げて取り付けられる。
【００１３】
化粧パネル３は、全体が略四角形をなし、その中央に室内空気を吸い込む吸込口３ａと、吸込口３ａの周囲に形成した４個の被空調空気を吹き出す吹出口３ｂを備える。
【００１４】
吹出口３ｂは吸込口３ａから吸い込まれ熱交換器で熱交換された室内空気を吹出し、その前面には吹出空気の方向を変更する板状のルーバ７が回動可能に設けられる。
【００１５】
図４及び図５に示すように、ルーバ７には、各ルーバ７を動作させる駆動手段としてのルーバ駆動用モータ８が各々別個に取付固定され、この駆動用モータ８は、化粧パネル３の裏側に設けたモータ収納部９に収納固定される。
【００１６】
さらに、吹出口３ｂを囲うように断熱部材である発泡部材１０が設けられ、図２に示すドレンパン１３に設けられた吹出部１３ｂと連通して熱交換器を介した吹出空気の通風経路が形成される。なお、符号１１は、化粧パネル３とドレンパン１３との間に配置されるシール部材である。
【００１７】
モータ収納部９に固定される駆動用モータ８は、保護部材１２によって覆われる。
【００１８】
モータ収納部９は隣接する２個のルーバ７を各々別個に動作させるための駆動用モータ８を各々収容するために隣接して設けられ、図３に示すように収納固定された２個の駆動用モータ８を一体的に保護部材１２で覆う。
【００１９】
保護部材１２を裏面から見た図６に示すように、保護部材１２にはその全周に沿って立上１２ｄが設けられ、さらに、９０°の角度を有して配され同一形状の２個のモータ収容凸部１２ａが設けられ、各々のモータ収容凸部１２ａに連通する軸用凸部１２ｂを挟むようにして両側（両辺）にリブ１２ｃが設けられる。
【００２０】
このリブ１２ｃを設けることで、保護部材１２と発泡部材１０の接触面にリブ１２ｃが介在することになり、リブ１２ｃで発泡部材１０を押圧することが可能になり、部品特に発泡部材１０の寸法バラツキによる空隙がなくなり、冷気のモータ収容凸部１２ａへの進入が防止され、駆動用モータ８への結露を防止できる。
【００２１】
また、空気調和機本体２には、図２に示すように、熱交換器で生成されるドレンを受け吹出口部１３ｂを備えるドレンパン１３が設けられ、このドレンパン１３には保護部材１２のモータ収納凸部１２ａが嵌まる凹部１３ａが保護部材１２の配置に対応して設けられる。これにより、空気調和機本体の高さ方向の寸法を小さくでき、ルーバ駆動用モータ８がドレンパンによっても断熱されるので結露を確実に防ぐことができる。
【００２２】
なお、図７に示すように、リブ１２Ａｃは複数個設けてもよく、さらに、リブ１２Ａｃの高さを変えてもよく、さらに、発泡部材にもリブを形成するようにしてもよい。
【００２３】
本実施形態の天井埋込形空気調和機によれば、駆動手段への冷気進入を阻止し、ルーバ駆動手段への結露を防止できる天井埋込形空気調和機が実現する。
【図面の簡単な説明】
【００２４】
【図１】本発明の一実施形態の天井埋込形空気調和機の斜視図。
【図２】本発明の一実施形態の天井埋込形空気調和機の化粧パネルを除去して示す斜視図。
【図３】本発明の一実施形態の天井埋込形空気調和機に用いる化粧パネルを裏面から見た平面図。
【図４】本発明の一実施形態の天井埋込形空気調和機の駆動手段のモータ収納部の近傍及び保護部材を示す斜視図。
【図５】本発明の一実施形態の天井埋込形空気調和機の駆動手段のモータ収納部の近傍を示す斜視図。
【図６】本発明の一実施形態の天井埋込形空気調和機に用いる保護部材の裏面図。
【図７】本発明の一実施形態の天井埋込形空気調和機に他の実施形態の保護部材を用いた駆動手段近傍を示す平面図。
【符号の説明】
【００２５】
１…天井埋込形空気調和機、２…空気調和機本体、３…化粧パネル、３ａ…吸込口、３ｂ…吹出口、４…筐体、５…室内送風機、６…吊り下げ手段、７…ルーバ、８…ルーバ駆動用モータ、９…モータ収納部、１０…発泡部材、１１…シール部材、１２…保護部材、１２ａ…モータ収容凸部、１２ｂ…軸用凸部、１２ｃ…リブ、１２ｄ…立上、１３…ドレンパン、１３ａ…凹部、１３ｂ…吹出口部。
【図１】
0005149592.tif 000002
【図２】
0005149592.tif 000003
【図３】
0005149592.tif 000004
【図４】
0005149592.tif 000005
【図５】
0005149592.tif 000006
【図６】
0005149592.tif 000007
【図７】
0005149592.tif 000008